(57)【要約】      （修正有）【課題】ゴルフ用キャディバッグ本体上端の開口部に設置する仕切りの配置を自在にアレンジでき、運搬等で必要な場合はクラブケースも収納可能とするキャディバッグであって、キャディバッグへの収納に適した形状のクラブケースによって、ゴルフクラブ収納の機能性とクラブケース併用時の運搬の利便性の両立を図るキャディバッグを提供する。【解決手段】キャディバッグ本体上端の開口部に設ける仕切りのうち、キャディバッグ側面を端渡する２本の仕切り２、３をスライドレールによって前後移動可能とし、直交する仕切り４、５は取り外し可能、かつ全仕切りの支柱に伸縮可能な機構を採用することで、仕切りの配置を自在にアレンジできるようにする。また、キャディバッグへの収納を考慮し、クラブケースの開口部の形状をキャディバッグにフィットするよう半円形にするとともに、背面のスタンド取り付け部は凹状とし全体の厚みを抑えた形状とする。【選択図】図１
0003220958.tif 000002
【実用新案登録請求の範囲】
【請求項１】
ゴルフ用キャディバッグ本体上端の開口部に設ける仕切りの配置を、クラブセッティングに応じて容易にアレンジでき、同時運搬したい場合はクラブケースも収納可能とすることを特徴とするキャディバッグ。
【請求項２】
「請求項１」のキャディバッグへの収納を前提に、キャディバッグの開口部の形状にフィットし、ゴルフクラブの出し入れの機能性も損なわない形状を特徴とするクラブケース。
【考案の詳細な説明】
【技術分野】
【０００１】  本考案は、ゴルフ用キャディバッグ本体上端の開口部に設ける仕切りを固定的なものとはせず、使用者が容易にカスタマイズできるようにした可変型仕切りの構造を有するキャディバッグ、及び当該キャディバッグへの収納に適したクラブケースに関するものである。
【背景技術】
【０００２】  通常のゴルフ用キャディバッグでは、本体上端の開口部に設ける仕切りが固定されているため、クラブセッティングによってはウッド系クラブの収納スペースを拡げたいなど仕切り配置を変えたくてもアレンジ性がなく、また当然ながら仕切りの大きさを越える形状のもの、例えばクラブケースなどは収納できない。本考案では、主としてスライドレールと伸縮可能な仕切り支柱の効果によって、仕切りの配置を可変のものとした。【０００３】  上述の考案によって、クラブケースもキャディバッグ内に収納可能となるが、クラブケースの厚みによっては、ゴルフクラブ収納スペースが圧迫されゴルフクラブの出し入れに支障が出る場合がある。本考案は、クラブケースをキャディバッグに収納した場合にもゴルフクラブ収納の機能性を損なうことがないよう、クラブケースをキャディバッグ内への収納を考慮とした形状とした。
【考案の概要】
【考案が解決しようとする課題】
【０００４】  ゴルフ用キャディバッグ本体上端の開口部に設定する仕切りを固定せず、用途に合わせて仕切りの配置を自在にアレンジできるようにする。【０００５】  クラブケースをキャディバッグ内に収納する場合でも、他のゴルフクラブ収納スペースの圧迫が少なく、ゴルフクラブの出し入れに支障が生じないよう、クラブケースを最適な形状とする。
【課題を解決するための手段】
【０００６】  キャディバッグ本体上端の開口部に設置する仕切りのうち、キャディバッグ側面間を端渡す仕切り（以下「横仕切り」という。）をスライドレールによって自在に移動できるようにし、併せて、曲面を描くキャディバッグ側面間の距離の変化に応じて横仕切りの支柱が伸縮する構造とする。
また、通常横仕切りに直交する形で設置する仕切り（以下「縦仕切り」という。）も伸縮可能な支柱とし、必要に応じて設置または取り外すこともできるようにする。
以上によって、仕切りの配置は自在にアレンジ可能となる。【０００７】  上述の仕切りの可変化によって、クラブケースもキャディバッグ内に収納可能となるが、クラブケースの厚みによってゴルフクラブ収納スペースが圧迫されるという問題点の解決手段として、本考案では、横仕切りの支柱を湾曲した形状とすることを提案するとともに、クラブケース自体をキャディバッグ内への収納を前提とした形状、即ちキャディバッグにフィットするよう半円形にしてクラブ収納容量を確保するとともに厚みを圧縮した形状とすることで抜本的に問題点を解決している。
【考案の効果】
【０００８】  キャディバッグ本体上端の開口部に設置する仕切りの配置を自在にアレンジできるようにすることで、クラブセッティングに応じて仕切り配置パターンが変えられ、ゴルフクラブを最適な位置に整理・収納できるようになる。
また、ゴルフ場への行き帰りや宅配便等で運搬する場合に、クラブケースもキャディバッグ内に収納可能とすることで、両者を一体の荷物として運搬することができ、ゴルフプレー時には、キャディバッグからクラブケースを取り出して使用することで、運搬時の可搬性と使用時の利便性を両立させることができる。加えて、運搬時のクラブケースの破損リスクも軽減できる。
【図面の簡単な説明】
【０００９】
【図１】キャディバッグ本体上端の開口部と仕切り及びスライドレールの設置状況を右斜め上方から俯瞰した図面。
【図２】キャディバッグ本体上端の開口部に設置する仕切りとスライドレールの組み立て図面。
【図３】キャディバッグ本体上端の開口部を上方から俯瞰し、通常使用時の仕切りの配置例を示した図面。
【図４】キャディバッグ本体上端の開口部を上方から俯瞰し、湾曲した横仕切りを使用し、クラブケース収納時の仕切りの配置例を示した図面。
【図５】キャディバッグへの収納に適したクラブケースの上端開口部の形状と、キャディバッグ内への収納状況を示した図面。
【図６】キャディバッグへの収納に適した上端開口部の形状を有するクラブケースの全体を自立状態で示した図面。
【図７】キャディバッグ内にクラブケースを収納した状態のイメージ図。
【考案を実施するための形態】
【００１０】  キャディバッグ内の横仕切り１及び２はメインとなる仕切りで、キャディバッグ内に取り付けるスライドレールに沿ってスライドできるようにする。縦仕切り１ないし３は任意に取り付け、または取り外す。
キャディバッグにクラブケースを収納する場合は、少なくとも縦仕切り１は取り外した上で、横仕切り１及び２を後部にスライドさせ、クラブケース収納スペースを創出する
【実施例】
【００１１】  キャディバッグ内の横仕切り１及び２は、支柱、クッション材、及びスクリーンで構成する。支柱は２本のパイプをピストン状に組み合わせ、自在に長さが伸縮できるようにし、両端はネジ穴形状とする。クッション材はフェルト等ゴルフクラブの傷付きを防ぐ材質とし、山折りに支柱を包み込むようにマジックテープで張り合わせる。スクリーンはゴルフクラブの絡まり防止を目的としたもので、上端は前記クッション材の片端と縫い合わせ、下端はキャディバッグ本体底部に固定する。横仕切り１及び２は、キャディバッグ本体開口部内側に設置するスライドレールにビスで固定するが、間に横仕切り固定用蝶ナットを入れ、手で緩めまたは締め付けることができるようにする。（［図１］及び［図２］）【００１２】  スライドレールやナットでゴルフクラブを傷付けることがないよう、スライドレールの上側にクラブ保護用クッション材を設置する。（［図１］及び［図３］）【００１３】  縦仕切り１ないし３は、支柱、クッション材で構成し、支柱は横仕切りと同様にピストン状の構造で伸縮自在とし、両端はネジ穴形状とする。クッション材も、横仕切りと同様に支柱を山折に包み込むようマジックテープで張り合わせる（［図２］では図示省略）。縦仕切り１ないし３を設置する場合は、キャディバッグ本体開口部外縁及び横仕切りクッション材にビス止めする。（［図２］）【００１４】  キャディバッグにクラブケースを収納する場合は、少なくとも縦仕切り１は取り外し、横仕切り１及び２を後部にスライドさせ、クラブケース収納スペースを創出する。市販のクラブケースでスタンド取り付け部を含め厚みがあることによって、横仕切り１と２の間、及び横仕切り２の後部のクラブ収納スペースが充分確保できない場合は、横仕切りの支柱をクラブケース形状に合わせて湾曲した形状のものに取り替えることでクラブ収納スペースを確保する。（［図４］）【００１５】  キャディバッグにクラブケースを収納する場合、前記のクラブ収納スペースが充分確保できない問題点を抜本的に解決するため、クラブケースそのものをキャディバッグに収納することに適した形状とする。具体的には、クラブケース上端開口部の形状をキャディバッグの開口部に合わせ半円形に拡張するとともに、クラブケース背面のスタンド取り付け部は凹状とし全体の厚みを抑えた形状とする。（［図５］及び［図６］）
【符号の説明】
【００１６】１    キャディバッグ本体の開口部の外縁
２    キャディバッグ内の横仕切り１クッション材
３    キャディバッグ内の横仕切り２クッション材
４    キャディバッグ内の縦仕切り１クッション材
５    キャディバッグ内の縦仕切り２クッション材
６    キャディバッグ内の縦仕切り３クッション材
７    横仕切りスライドレール（ａ左側、ｂ右側）
８    横仕切り固定用蝶ナット（ａ左前側、ｂ左後側、ｃ右後側、ｄ右前側）
９    横仕切りスライドレール固定用ナット（ａ左前側、ｂ左後側、ｃ右後側、ｄ右前側      ）
１０  横仕切りスライドレール固定用ビス（ａ左前側、ｂ左後側、ｃ右後側、ｄ右前側、      ｅ前側）
１１  クラブ保護用クッション材（ａ左側、ｂ右側）
１２  縦仕切り１固定用ビス（ａ前側、ｂ後側）
１３  縦仕切り２固定用ビス（ａ前側、ｂ後側）
１４  縦仕切り２固定用ビス（ａ前側、ｂ後側）
１５  横仕切り１支柱
１６  横仕切り２支柱
１７  縦仕切り１支柱
１８  縦仕切り２支柱
１９  縦仕切り２支柱
２０  横仕切り固定用ビス（ａ左前側、ｂ左後側、ｃ右後側、ｄ右前側）
２１  横仕切り１クラブ絡まり防止用スクリーン
２１  横仕切り２クラブ絡まり防止用スクリーン
２２  クラブケース開口部の外縁
２３  クラブケースのスタンド取り付け部
２４  クラブケースの取っ手
２５  クラブケース本体
２６  クラブケースのスタンド脚部
２７  キャディバッグ本体
【図１】
0003220958.tif 000003
【図２】
0003220958.tif 000004
【図３】
0003220958.tif 000005
【図４】
0003220958.tif 000006
【図５】
0003220958.tif 000007
【図６】
0003220958.tif 000008
【図７】
0003220958.tif 000009
【手続補正書】
【提出日】平成30年10月24日(2018.10.24)
【手続補正１】
【補正対象書類名】実用新案登録請求の範囲
【補正対象項目名】全文
【補正方法】変更
【補正の内容】
【実用新案登録請求の範囲】
【請求項１】
ゴルフ用キャディバッグ本体上端の開口部に設置する仕切りのうち、キャディバッグ側面間を端渡す仕切り（以下「横仕切り」という。）をスライドレールによって自在に移動できるようにし、併せて、曲面を描くキャディバッグ側面間の距離の変化に応じて横仕切りの支柱が伸縮する構造とし、また、通常横仕切りに直交する形で設置する仕切り（以下「縦仕切り」という。）も伸縮可能な支柱とし、必要に応じて設置または取り外すこともできるようにすることで、クラブセッティングに応じて容易に仕切りの配置が自在にアレンジでき、かつ、同時運搬したい場合はクラブケースも収納可能とすることを特徴とするキャディバッグ。
【請求項２】
前記キャディバッグにクラブケースを収納した場合、クラブケースの厚みによっては、キャディバッグ内のゴルフクラブ収納スペースを圧迫してゴルフクラブ出し入れに支障をきたす場合があることから、クラブケースの形状についても、クラブケース背面のスタンド取り付け部を凹状とし全体の厚みを圧縮するとともに、クラブケース上端開口部の形状は、キャディバッグ内壁にフィットするよう半円形にしてクラブケース自体のクラブ収納容量を増大させたものとすることで、キャディバッグ内への収納に最適な形状を有するクラブケースとなり、こうしたクラブケースを前記キャディバッグと一体的に使用することで、ゴルフ場への行き帰りや宅配便等での運搬時には、クラブケースもキャディバッグ内に収納し、両者を一体の荷物として運搬することができ、ゴルフプレー時には、キャディバッグからクラブケースを取り出しての使用も容易なことから、運搬時の可搬性と使用時の利便性を両立させることができることを特徴とする請求項１に記載のキャディバッグ。
【手続補正書】
【提出日】平成31年1月24日(2019.1.24)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブの分別収納の利便とクラブの絡まり防止を目的に、ゴルフ用キャディバッグ本体上端の開口部内に設けるセパレート用仕切りのうち、キャディバッグ側面間を端渡す２本の仕切り（以下「横仕切り」という。）内の支柱の両端を、キャディバッグ開口部の内側側面に取り付けたスライドレールにビスと蝶ナットで固定し、または蝶ナットを緩めることによってスライドレールに沿って自在に移動できるようにし、併せて、仕切り内の支柱は二本のパイプをピストン状に組み合わせ、曲面を描くキャディバッグ側面間の距離の変化に応じて伸縮する構造とし、また、通常横仕切りに直交する形で設置する仕切り（以下「縦仕切り」という。）内の支柱も同様に伸縮可能な支柱とし、使用者の意図に応じて数本の縦仕切りを設置または取り外すこともできるようにすることで、クラブセッティングに応じて容易に仕切りの配置が自在にアレンジできることを特徴とするキャディバッグ。
【請求項２】
前記キャディバッグの仕切りの配置につき、キャディバッグ開口部前側の縦仕切りを取り外し、横仕切りを２本とも後方に移動させ、前側のスペースを大きくすることで、そのスペースにクラブケースも収納可能となるが、クラブケースの厚みによっては、キャディバッグ内後側のゴルフクラブ収納スペースを圧迫してゴルフクラブ出し入れに支障をきたす場合があることから、その解決策として、横仕切りの支柱を直線状のものではなく、弓状に湾曲したものに取り替え、キャディバッグに収納したクラブケースを、前側の横仕切りの湾曲部分とキャディバッグの開口部前側で囲い込むようにして収納することで、キャディバッグ内後側のゴルフクラブ収納スペースを拡張する方法か、または、クラブケースの形状自体このようなキャディバッグ内収納に適したもの、即ち、クラブケース背面のスタンド取り付け部を凹状として全体の厚みを圧縮し、かつクラブケース上端開口部の形状を、キャディバッグ内壁にフィットするよう半円形にしたものを使用する方法を採ることで、キャディバッグ内のクラブケース収納部とそれ以外のゴルフクラブ収納部を支障なく内在させることができ、このようにして前記キャディバッグとクラブケースを一体的に使用することが可能となることで、ゴルフ場への行き帰りや宅配便等での運搬時には、クラブケースもキャディバッグ内に収納し、両者を一体の荷物として運搬することができるという意味での可搬性と、ゴルフプレー時には、キャディバッグからクラブケースを取り出しての使用も容易であるという利便性を両立させることができることを特徴とする請求項１に記載のキャディバッグ。